(57)【特許請求の範囲】
【請求項１】
感光性記録媒体を回転自在に収容すると共に前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、前記シャッタを前記閉じ位置でロックするロック機構と、を有する感光性記録媒体用カートリッジを挿入可能な挿入口が形成され外部から遮光された内部空間を有する筐体と、
前記挿入口を開閉自在に配設され前記挿入口を閉じたとき前記挿入口を前記外部から遮光する挿入口シャッタと、
前記感光性記録媒体用カートリッジの挿入により前記ロック機構のロックを解除するロック解除機構と、
前記感光性記録媒体用カートリッジが所定の位置に挿入され且つ前記筐体内部が遮光状態となったとき前記感光性記録媒体用カートリッジの前記シャッタを開くシャッタ開放機構と、
を有する感光性記録媒体用記録再生装置において、
前記挿入口シャッタが少なくとも前記挿入口を覆う平板部を有し、前記平板部の上方が前記筐体内部の前記挿入口上部に回動自在に固定され、前記平板部が吊下る状態で前記挿入口を覆うとともに、
前記挿入口から挿入されるカートリッジを検出するカートリッジセンサと、
前記筐体内の明るさを検出する照度センサと、
が前記筐体内に配設され、
前記シャッタ開放機構は、前記カートリッジセンサにより前記カートリッジが所定の位置に挿入されたことを検出し、前記照度センサにより前記筐体内の明るさが所定の照度以下であったときに前記シャッタを開くことを特徴とする感光性記録媒体用記録再生装置。
【請求項２】
前記平板部が前記挿入口を閉じる方向に付勢した状態でばねの一端を前記筐体側に他端を前記平板部側に係止したことを特徴とする請求項１記載の感光性記録媒体用記録再生装置。
【請求項３】
前記平板部が細長い矩形状をし、その四辺から前記挿入口側に延びる延設部が形成されており、一方、前記筐体には前記延設部を収納する断面凹状をした凹状収納部が形成されており、前記平板部が吊下げた状態で前記延設部が前記凹状収納部の溝内に入り込み、遮光用ラビリンスを形成させたことを特徴とする請求項１または２記載の感光性記録媒体用記録再生装置。
【請求項４】
前記平板部の回動中心軸と略平行な方向に延在する二辺に対応する前記延設部及び前記凹状収納部のそれぞれに、前記平板部の上方の回動点を中心にしたアールが形成されていることを特徴とする請求項３記載の感光性記録媒体用記録再生装置。
【発明の詳細な説明】
【技術分野】
【０００１】
本発明は、ホログラム記録媒体などの感光性記録媒体用記録再生装置に関し、特に、感光性記録媒体を遮光状態で収容保管するカートリッジを内部に収納して、遮光状態で該感光性記録媒体にデータを記録し、または記録されたデータを再生する感光性記録媒体用記録再生装置に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるＤＶＤよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
特許文献１に記載の発明は、ＤＶＤ−ＲＡＭのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００４】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００５】
【特許文献１】特開２００４―０２９４７６号公報
【特許文献２】特開２００３―３１７４２２号公報
【発明の開示】
【発明が解決しようとする課題】
【０００６】
ホログラム記録媒体を収容するカートリッジがカートリッジ本体とシャッタとの間の遮光をどんなに適切に行なっていても、そのカートリッジを収納してデータを記録し再生する肝腎の記録再生装置自体の遮光が適切に行なわれていないと、ホログラム記録媒体にデータを記録または再生する際にカートリッジのシャッタが開かれたとき、記録又は再生中にホログラム記録媒体が感光してその後のデータの記録、再生に不具合が生じるおそれがある。
【０００７】
本発明は上記事情に鑑みてなされたもので、感光性記録媒体を遮光かつ誤開放防止措置が施された状態で収容したカートリッジを完全に遮光された状態で記録再生できる信頼性の高い感光性記録媒体用記録再生装置を提供することを目的としている。
【課題を解決するための手段】
【０００８】
上記目的を達成するため、請求項１記載の感光性記録媒体用記録再生装置の発明は、感光性記録媒体を回転自在に収容すると共に前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、前記シャッタを前記閉じ位置でロックするロック機構と、を有する感光性記録媒体用カートリッジを挿入可能な挿入口が形成され外部から遮光された内部空間を有する筐体と、
前記挿入口を開閉自在に配設され前記挿入口を閉じたとき前記挿入口を前記外部から遮光する挿入口シャッタと、
前記感光性記録媒体用カートリッジの挿入により前記ロック機構のロックを解除するロック解除機構と、
前記感光性記録媒体用カートリッジが所定の位置に挿入され且つ前記筐体内部が遮光状態となったとき前記感光性記録媒体用カートリッジの前記シャッタを開くシャッタ開放機構と、
を有する感光性記録媒体用記録再生装置において、
前記挿入口シャッタが少なくとも前記挿入口を覆う平板部を有し、前記平板部の上方が前記筐体内部の前記挿入口上部に回動自在に固定され、前記平板部が吊下る状態で前記挿入口を覆うとともに、
前記挿入口から挿入されるカートリッジを検出するカートリッジセンサと、
前記筐体内の明るさを検出する照度センサと、
が前記筐体内に配設され、
前記シャッタ開放機構は、前記カートリッジセンサにより前記カートリッジが所定の位置に挿入されたことを検出し、前記照度センサにより前記筐体内の明るさが所定の照度以下であったときに前記シャッタを開くことを特徴とする感光性記録媒体用記録再生装置。
請求項２記載の発明は、請求項１記載の感光性記録媒体用記録再生装置において、前記平板部が前記挿入口を閉じる方向に付勢した状態でばねの一端を前記筐体側に他端を前記平板部側に係止したことを特徴としている。
請求項３記載の発明は、請求項１または２記載の感光性記録媒体用記録再生装置において、前記平板部が細長い矩形状をし、その四辺から前記挿入口側に延びる延設部が形成されており、一方、前記筐体には前記延設部を収納する断面凹状をした凹状収納部が形成されており、前記平板部が吊下げた状態で前記延設部が前記凹状収納部の溝内に入り込み、遮光用ラビリンスを形成させたことを特徴としている。
請求項４記載の発明は、請求項３記載の感光性記録媒体用記録再生装置において、前記平板部の回動中心軸と略平行な方向に延在する二辺に対応する前記延設部及び前記凹状収納部のそれぞれに、前記平板部の上方の回動点を中心にしたアールが形成されていることを特徴としている。
【発明の効果】
【０００９】
上記構成の感光性記録媒体用記録再生装置によれば、完全に遮光された記録再生装置にカートリッジが収納されるので記録再生時における感光性記録媒体の感光が防止される。また、感光性記録媒体自体もシャッタにより遮光されかつシャッタを閉じ位置でロックするロック機構が設けられたカートリッジに収容されるので、シャッタを誤って開くことがなく感光性記録媒体の感光を確実に防止して収容することができる。そして、そのカートリッジが記録再生装置に収納された後、ロック機構のロックが解除されてシャッタが開放されるので、記録再生時における感光性記録媒体の感光が防止される。
【発明を実施するための最良の形態】
【００１０】
以下、本発明の実施形態を図面に基づいて詳しく説明する。
図１は本発明の実施形態である記録再生システムの構成を示す斜視図、図２は記録再生装置の内部構成を示す概略図である。
【００１１】
両図に示すように、記録再生システム１００は、カートリッジ２と、記録再生装置１０とから構成されている。そこで、まず、ホログラム記録装置などの記録再生装置１０について説明し、次にカートリッジ２についてする。
図１および図２に示すように、カートリッジ２を装填して使用される記録再生装置１０は、カートリッジ２を挿入可能な挿入口９１が形成され、外部から遮光された内部空間９２を有する筐体９０を備える。挿入口９１は、ピン９３を中心として回動自在に筐体９０の内部に配設された挿入口シャッタ９４により開閉される。挿入口シャッタ９４は、捩じりコイルばね９６の一端が係止されて挿入口シャッタ９４を閉じる方向に付勢している。挿入口９１には、その開口全周に亘って遮光部材９５が固着されており、挿入口シャッタ９４が閉じられたとき挿入口シャッタ９４と協働して挿入口９１を外部から遮光する。
【００１２】
筐体９０内には、ロック解除機構７８およびシャッタ開放機構８０が組み込まれている。ロック解除機構７８は、第２のロック部材６４に係合して作動させる第２の解除部材である１対の位置決め部材７７ａ,７７ｂと、第１のロック部材６３に係合して作動させる第１の解除部材である一対の係合ピン７９ａ、７９ｂとからなる。
【００１３】
１対の位置決め部材７７ａ,７７ｂは、挿入口９１から矢印Ｃ方向に挿入されたカートリッジ２の両側面の位置決め溝７,８に係合するように挿入口９１に向かって突出して筐体９０に固定されている。１対の位置決め部材７７ａ,７７ｂは、それぞれ位置決め溝７,８に係合してカートリッジ２の挿入方向、及びこの挿入方向に直交する方向でカートリッジ２を位置決めする。
【００１４】
一対の係合ピン７９ａ、７９ｂは、筐体９０に固定された一対のアーム７９Ａ，７９Ｂから下方に向かって突出して配設されており、挿入されるカートリッジ２の開口７２、７３から第１のロック部材６３の操作穴６３ｄに挿入される。記録ディスク４は両面への記録が可能であるため、カートリッジ２は、Ａ面２ａまたはＢ面２ｂのいずれもが上方に向けられて記録再生装置１０にセットされるが、装填面が異なると、ロック機構２７の位置が左右で反転する。そのため、カートリッジ２が反転して装填された場合でも操作穴６３ｄに係合できるように、反転装填時用の係合ピン７９ｂを備えている。
【００１５】
なお、一対の係合ピン７９ａ、７９ｂは、アーム７９から出没自在に配設され、図示しないバネによって下方に向けて付勢されている。これにより、一方の係合ピンが操作穴６３ｄに係合している際に、他方の係合ピンはカートリッジ２に当接した時にアーム７９内に引っ込み、邪魔になることはない。
【００１６】
シャッタ開放機構８０は、スライド部材５６の被操作部５６ｄの外側に当接する一対の操作片８１ａ，８１ｂと、両端側に右ねじ８２ａおよび左ねじ８２ｂがそれぞれ形成されたリードねじ８２を備える。リードねじ８２の右ねじ８２ａには操作片８１ａが螺合し、左ねじ８２ｂには操作片８１ｂが螺合している。リードねじ８２の一端には、駆動モータ８３の回転軸が固定されてリードねじ８２を時計方向または反時計方向に回転させるようになっている。
【００１７】
リードねじ８２が反時計方向に回転すると、操作片８１ａ，８１ｂは互いに接近する方向に移動して被操作部５６ｄを押圧し、シャッタ１３を開き位置にスライドさせる。操作片８１ａ，８１ｂを一対設けたのは、カートリッジ２の反転挿入に対応するためである。
【００１８】
筐体９０の内部には、筐体９０内の明るさを検出する照度センサ９８と、挿入口９１から挿入されるカートリッジ２の先端を検出してカートリッジ２が所定の位置まで正常に挿入されたことを検出するカートリッジセンサ９９とが配設されている。なお、照度センサ９８は、挿入口シャッタ９４が閉じられたことを検出するシャッタ開閉検出センサ（図示せず）であってもよい。
【００１９】
カートリッジ２が挿入口９１から記録再生装置（ホログラム記録装置）１０に装填されると、図４（Ｂ）に示すように、記録再生装置１０に固定された位置決め部材７７ａが位置決め溝７に挿入され、カートリッジ２を位置決めすると共に、第２のロック部材６４の被押圧片６４ｄをロックバネ６５の付勢に抗して押庄する。第２のロック部材６４は、リンク部６４ｂを中心に時計方向に回動して、回動部６４ｃの底面が規制片７０から離れるため、第１のロック部材６３の下方へのスライドが可能となる。
【００２０】
カートリッジ２が更に矢印Ｃ方向に挿入されて第１のロック部材６３の操作穴６３ｄが装置内に固定されたロック解除機構７８の係合ピン７９ａの位置に達すると、アーム７９内に組み込まれたバネの作用により係合ピン７９ａが第１のロック部材６３の操作穴６３ｄに挿入される。そして引き続くカートリッジ２の挿入により、同図（Ｃ）に示すように、第１のロック部材６３が図中下方に移動されてロック爪６３ａを被ロック溝５６ｅから抜き去り、係合を解除する。これにより、カートリッジ２のロック機構２７が解除されてシャッタ１３が開閉可能となる。
【００２１】
図５を参照して、上記のようにロック解除されたカートリッジ２が所定の位置に達すると、カートリッジセンサ９９がカートリッジ２の先端を検出してＯＮとなりカートリッジ２が所定の位置まで正常に挿入されたことを検出する（Ｓ１）。このとき、シャッタ開放機構８０の操作片８１ａは、スライド部材５６の被操作部５６ｄの外側に配置されている。
【００２２】
次いで、照度センサ９８が筐体９０内の明るさを検出し、所定の照度以下であると筐体９０が遮光されていると判断し（Ｓ２）、駆動モータ８３を回転させてリードねじ８２を反時計方向に回転させる（Ｓ３）。これにより、リードねじ８２の右ねじ８２ａおよび左ねじ８２ｂに螺合する操作片８１ａ，８１ｂは互いに接近する方向に移動して被操作部５６ｄを押圧し、シャッタ１３を移動させて開く。そして、記録ディスク４を回転させながら図示しないヘッドによりデータを記録し、または記録されたデータを再生する。
【００２３】
尚、照度センサ９８で検出した照度が所定の照度以上であると（Ｓ２）、記録ディスク４を感光させるおそれがあるので、シャッタ１３を開くことなく表示装置（図示せず）に警告を表示したり、カートリッジ２を記録再生装置１０から排出するなどして使用者の注意を喚起する（Ｓ４）。
【００２４】
このように、ロック機構２７は、第２のロック部材６４を回動させ、更に第１のロック部材６３をスライドさせなければ解除されないため、シャッタ１３が不用意に開放されるのを効果的に防止することができる。また、ロック機構２７は、カートリッジ２を記録再生装置１０に挿入することにより自動的にロック解除され、更に記録再生装置１０が遮光された後にシャッタ１３が開くので記録ディスク４の感光を確実に防止することができる。
【００２５】
なお、前記挿入口シャッタ９４の改良版として、さらに遮光性に富む挿入口シャッタ９４０について、図６に基づいて説明する。
図６は挿入口シャッタ９４０と筐体９０の挿入口近傍とを断面して示す縦断面図（ａ）と斜視図（ｂ）である。
図において、９４０は改良版の挿入口シャッタで、上部にピン挿入孔を有する吊下げ部９４０ａ、第１延設部９４０ｂ、シャッタ平板部９４０ｃ、先端部である第２延設部９４０ｄとから構成されている。
吊下げ部９４０ａはシャッタ平板部９４０ｃの延長面よりも筐体９０の挿入口側に傾斜しており、その傾斜角は、ピン挿入孔にピン９３が挿入されて吊下げられた状態で、シャッタ平板部９４０ｃが筐体９０の挿入口とが平行になる（換言すれば、垂直に真下を向く）ように決められている。
シャッタ平板部９４０ｃは挿入口を塞ぐ細長い矩形状をしており、その四辺から挿入口側に延びる延設部９４０ｂ、９４０ｄが形成されている。
第１延設部９４０ｂと第２延設部９４０ｄとは、吊下げ部９４０ａがピン挿入孔のピン９３を中心に回動したとき、筐体の凹状収納部９０ａ−９０ｂ、９０ｃ−９０ｄと接触せずかつ空隙ができないようアールＲが形成されている。
同じく、筐体側の凹状収納部９０ａ−９０ｂ、９０ｃ−９０ｄにも、第１延設部９４０ｂと第２延設部９４０ｄのアールＲに対応したアールＲがそれぞれ形成されている。
このような構成により、挿入口シャッタ９４０が閉じられたとき、筐体側の凹状収納部９０ａ−９０ｂには第１延設部９４０ｂが収納され、また凹状収納部９０ｃ−９０ｄには第２延設部９４０ｂが収納されるようになり、挿入口９１を外部から完全に遮光する。
【００２６】
以上、本発明によれば、完全に遮光された記録再生装置にカートリッジが収納されるので記録再生時における感光性記録媒体の感光が防止される。
また、感光性記録媒体自体も後述するシャッタにより遮光されかつシャッタを閉じ位置でロックするロック機構が設けられたカートリッジに収容されているので、シャッタを誤って開くことがなく感光性記録媒体の感光を確実に防止して収容さｑれている。そして、そのカートリッジが記録再生装置に収納された後、上記のようにロック機構のロックが解除されてシャッタが開放されるので、記録再生時における感光性記録媒体の感光が防止される。
【００２７】
次に、ホログラム記録媒体用カートリッジの遮光構造について説明する。
図７〜図９はホログラム記録媒体用カートリッジ（以下、カートリッジと省略する）の外観形状を示す斜視図であり、図７はカートリッジの一方の面を上方にした状態を示す斜視図、図８は反対側の面を上方にした状態を示す斜視図、図９はシャッタが開き位置にあり、ディスク収容部に円板形状のホログラム記録媒体（以下、記録ディスクと称する）が回転自在に収容された状態を示す斜視図である。
【００２８】
カートリッジ２は、このカートリッジを取り扱うホログラム記録装置等の記録再生装置１０に対し、矢印Ｃ方向から装填される。カートリッジ２の装填方向先端の両側面には、カートリッジ２がホログラム記録装置等の記録再生装置１０に装填された際に、記録再生装置１０に設けられた位置決め部材が挿入される位置決め溝７,８が設けられている。
【００２９】
記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にして記録再生装置（ホログラム記録装置）１０にセットされる。
【００３０】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備えている。遮光板１２の上下面には、第２の開口である略長方形の外部開口１４、１５が形成されている。これらの外部開口１４,１５は、シャッタ１３が閉じ位置にあるときに、第１シャッタ５５ａ,第２シャッタ５５ｂによって閉じられている。
【００３１】
図９に示すように、シャッタ１３が矢印Ｄ方向の開き位置に向けて移動すると、外部開口１４,１５とともに、外部開口１４,１５に対面するようにカートリッジ本体１１に設けられている同形状の内部開口１８,１９が開放される。これにより、ディスク収容部３内に収容されている記録ディスク４の中心部４ａと、記録面４ｂとが外部に露呈される。
【００３２】
シャッタ１３は、内蔵するシャッタバネによって閉じ位置に付勢され、かつロック機構によって閉じ位置でロックされている。ロック機構の解除は、位置決め溝７内に突出されている第２のロック部材６４をカートリッジ２内に押し込み、その状態でカートリッジ２のＡ面２ａ及びＢ面２ｂの開口７３,７２から露呈されている第１のロック部材６３をカートリッジ装填方向の後端側にスライドさせる。このように、シャッタ１３は、２段階の操作を行なわなければ解除されないロック機構によって閉じ位置でロックされているため、シャッタ１３が不用意に開放されることはない。
【００３３】
図１０は、カートリッジの構成を示す分解斜視図、図１１は図１０におけるＶＩ−ＶＩ矢視断面図、図１２は図１０におけるＶＩＩ−ＶＩＩ矢視断面図である。また、図１３（Ａ）はカートリッジの装填方向の断面図、（Ｂ）は（Ａ）の前端縁部分の拡大図、（Ｃ）は（Ａ）の後端縁部分の拡大図、図１４はカートリッジの装填方向に直交する方向の断面図であり、（Ａ）はシャッタが閉じた状態の断面図、（Ｂ）はシャッタが開いた状態の断面図、図１５は図１４における円Ｘで囲まれた部分の拡大図、図１６は図１４における円ＸＩで囲まれた部分の拡大図である。
【００３４】
図１０に示すように、カートリッジ本体１１は、略板状の第１シェル２５と、この第１シェル２５に接合される第２シェル２６と、第１シェル２５と第２シェル２６との間に組み込まれてシャッタ１３のロックを行なうロック機構２７とから構成されている。
【００３５】
第１シェル２５と第２シェル２６は、例えば、遮光性物質と滑剤とが添加された同一または類似の熱可塑性プラスチックを用いて、射出成形により形成されている。カートリッジ２の後端縁部の拡大した断面図である図１３（Ｃ）に示すように、第１シェル２５の内面には、記録ディスク４の外径よりも大きな径で形成された突条である第１の遮光壁３０と、この第１の遮光壁３０の外側に設けられた第２の遮光壁３１と、端縁全周に設けられた突条３２とが設けられている。第１の遮光壁３０の内側には、記録ディスク４の中心部４ａと記録面４ｂとを外部に露呈させる内部開口１８が設けられている。
【００３６】
第２シェル２６の内面には、記録ディスク４の外径よりも大きな径で形成された突条であり、第１シェル２５の第１の遮光壁３０と第２の遮光壁３１との間に挿入される第３の遮光壁３５と、端縁全周に設けられた突条３６とが設けられている。第３の遮光壁３５の内側には、記録ディスク４の中心部４ａと記録面４ｂとを外部に露呈させる内部開口１９が設けられている。
【００３７】
第２シェル２６の第３の遮光壁３５の内側に記録ディスク４を乗せ、第１シェル２５を第２シェル２６の上面に重ね合わせると、第３の遮光壁３５が第１の遮光壁３０と第２の遮光壁３１との間に挿入され、第３の遮光壁３５の先端が第１シェル２５の内面２５ｅに当接する。ディスク収容部３は、これらの遮光壁３０、３１、３５と、第１シェル２５及び第２シェル２６の内面とによって形成される。ディスク収容部３の側壁は、３枚の遮光壁３０，３１,３５が入り組んで形成されたラビリンス状の遮光構造となる。そのため、第１シェル２５及び第２シェル２６の合せ目から光や塵芥が入り込んでも、これらがディスク収容部３内にまで進入することはない。
【００３８】
また、第２シェル２６の第３の遮光壁３５の先端は、超音波溶着によって第１シェル２５の内面２５ｅに固着される。これにより、第１シェル２５と第２シェル２６とが強固に接合されるため、両者の合せ目に隙間が開くようなことはない。
【００３９】
図１０および図１３から図１６に示すように、第１シェル２５及び第２シェル２６の外面には、遮光板１２の形状より僅かに大きく、且つ遮光板１２の厚み以上の深さの段差部２５ｄ,２６ｄを有し、内側にオフセットさせた遮光板取付面２５ａ,２６ａが形成されている。
【００４０】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。
【００４１】
図１０から図１２に示すように、遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００４２】
第３の板部１２ｃと第１の板部１２ａ及び第２の板部１２ｂとの稜線部、およびカートリッジ２の装填方向Ｃ両側の２辺と装填方向Ｃと直交する方向の１辺との各交差部には切り込みが入れられて、第１の板部１２ａ及び第２の板部１２ｂの外周端部が互いに接近する方向（換言すれば、カートリッジ本体１１に取り付けられたときカートリッジ本体１１に向かう方向）に略ヘの字形に曲げられている。これにより、第１の板部１２ａ及び第２の板部１２ｂの外周端部には、略ヘの字形の屈曲部１２ｄが形成されている。この屈曲部１２ｄは、外周端部の３辺すべてに形成するのが遮光性能上から望ましいが、これに限定されない。
【００４３】
遮光板１２は、第１の板部１２ａ及び第２の板部１２ｂでカートリッジ本体１１のＢ面２ｂ及びＡ面２ａとを挟み込み、かつ第３の板部１２ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。また、図１３から図１６に示すように、第１の板部１２ａ及び第２の板部１２ｂの各屈曲部１２ｄの先端は、それぞれ第１シェル２５及び第２シェル２６の段差部２５ｄ,２６ｄに対向して位置する。
【００４４】
図１０に示すように、遮光板１２の第１の板部１２ａ及び第２の板部１２ｂの外周には、略等間隔で小さな穴４９が形成されている。また、第１シェル２５及び第２シェル２６の遮光板取付面２５ａ,２６ａには、遮光板１２の穴４９に対応する位置に、遮光板１２の厚みよりも僅かに長いピン５０が一体に形成されている。
【００４５】
図１３から図１６に示すように、遮光板１２がカートリッジ本体１１の外側（遮光板取付面２５ａ,２６ａ）に取り付けられると、第１シェル２５及び第２シェル２６のピン５０が穴４９に挿入され、遮光板１２の表面から突出される。遮光板１２は、その弾性力に抗して屈曲部１２ｄの先端部が遮光板取付面２５ａ,２６ａに押圧されながら、各ピン５０の先端が熱で潰されることによりカートリッジ本体１１に固着される。
【００４６】
これにより、遮光板１２の各屈曲部１２ｄの先端は、それぞれ段差部２５ｄ,２６ｄに対向して位置すると共に、遮光板１２の弾性力により遮光板取付面２５ａ,２６ａに押圧されて隙間なく当接する。即ち、遮光板１２の外周端部（各屈曲部１２ｄの先端）と遮光板取付面２５ａ,２６ａは隙間がない状態で密着する。更に、遮光板１２の外周端部は、段差部２５ｄ,２６ｄにより覆われるので、例え、部品精度誤差などに起因して部分的に隙間があっても確実に光の回り込みを防止して遮光する。
【００４７】
なお、遮光板１２のカートリッジ本体１１への固着方法としては、これ以外に、接着剤や両面テープ、ねじ止め等を用いることができる。また、遮光板１２をプラスチックで形成した場合には、各種溶着を用いることもできる。
【００４８】
図１０に示すように、シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００４９】
シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００５０】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１３はカートリッジ本体１１と遮光板１２との間をスムースに移動することができるため、移動による切屑等の発生を抑えることができる。なお、シャッタ摺動面２５ｂ,２６ｂは、入射した光を拡散するために、粗面にしてもよい。同様に遮光板１２の内面、及びシャッタ１３の内面及び外面も粗面にしてもよい。
【００５１】
スライド部材５６は、上面がカートリッジ本体１１の装填方向先端面から露出されるように、第１シェル２５と第２シェル２６との間にスライド自在に組み込まれる。スライド部材５６の上面端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００５２】
図１３（Ｂ）及び図１２に示すように、スライド部材５６の側面には、長手方向に沿って溝５６ｃが形成されている。この溝５６ｃには、第１シェル２５及び第２シェル２６の装填方向先端側の内面に設けられた突条２５ｃ,２６ｃが挿入される。この溝５６ｃと突条２５ｃ,２６ｃとにより、スライド部材５６はカートリッジ本体１１から外れることなく、スライド移動することができるようになる。
【００５３】
スライド部材５６の他方の上面端部には、シャッタ１３を開く際に操作される被操作部５６ｄが一体に形成されている。この被操作部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、被操作部５６ｄとの干渉を避けるために設けられている（図９参照）。
【００５４】
シャッタ１３は、シャッタバネ５９により閉じ方向に付勢されている。シャッタバネ５９は、例えば、捩じりコイルバネからなり、その両端は、スライド部材５６と、第１シェル２５の内面とに係止されている。
【００５５】
スライド部材５６には、被操作部５６ｄに隣接して矩形孔形状の被ロック溝５６ｅが形成されている。スライド部材５６の長手方向における被ロック溝５６ｅの外側の側面は、カートリッジ２の装填方向Ｃ前方に向かうに従って次第にスライド部材５６の他端側（被操作部５６ｄ方向）に傾斜する係合傾斜面５６ｆが形成されている（図４参照）。また、スライド部材５６の図中右端面と下面との角部は、係合傾斜面５６ｆと略平行に面取りされて案内傾斜面５６ｇが形成されている。
【００５６】
次にロック機構について、図１２および図４に基づいて説明する。図１２はロック機構の構成を示す分解斜視図、図４は図１２に示すロック機構の動作説明図である。図１２に示すように、ロック機構２７は、シャッタ１３を閉じ位置でロックする第１のロック部材６３と、この第１のロック部材６３の移動をロックする第２のロック部材６４と、第２のロック部材６４を図中反時針方向、及び上方に向けて付勢するロックバネ６５とから構成されている。
【００５７】
第１のロック部材６３は、スライド部材５６に形成された被ロック溝５６ｅに係合してシャッタ１３を閉じ位置でロックするロック爪６３ａと、このロック爪６３ａと一体に設けられた矩形の摺動部６３ｂと、この摺動部６３ｂの第２シェル２６に対する面に形成された円柱形状のボス６３ｃと、このボス６３ｃと摺動部６３ｂとに貫通して形成された操作穴６３ｄとからなる。
【００５８】
ロック爪６３ａの図中左側には、シャッタ１３が開き位置から閉じ位置に移動する際に、被ロック溝５６ｅとの係合を誘うための斜面６３ｅが、スライド部材５６の係合傾斜面５６ｆと略平行に形成されている。また、ロック爪６３ａの図中右側には、被ロック溝５６ｅの係合傾斜面５６ｆと略平行な傾斜面であるフック部６３ｆが形成されており、スライド部材５６が図中左方向（シャッタ１３が開く方向）に移動すると、フック部６３ｆが係合傾斜面５６ｆと係合して該移動を確実に阻止するようになっている。
【００５９】
第２のロック部材６４は、第１のロック部材６３のボス６３ｃの外周に回動自在に挿入される穴６４ａを備えたリンク部６４ｂと、このリンク部６４ｂと一体に設けられ、ボス６３ｃを中心に回動する回動部６４ｃと、この回動部６４ｃの側面から垂直に立設された被押圧片６４ｄと、ロックバネ６５の一端が係止されるバネ係止部６４ｅとからなる。
【００６０】
第１のロック部材６３は、図４（Ａ）に示すように、スライド部材５６の被ロック溝５６ｅの係合傾斜面５６ｆにロック爪６３ａのフック部６３ｆが係合する第１のロック位置と、同図（Ｃ）に示すように、下方にスライドして被ロック溝５６ｅとの係合を解除する第１の解除位置との間で移動される。
【００６１】
尚、図４（Ａ）に示す第１のロック位置においては、ロック爪６３ａのフック部６３ｆの右端部と、被ロック溝５６ｅの係合傾斜面５６ｆの左端部とは、同一垂直線上、または水平方向に僅かな隙間をもって配置されている。換言すれば、この状態においては、フック部６３ｆと係合傾斜面５６ｆとは係合しておらず、第１のロック部材６３は下方に移動可能である。
【００６２】
しかし、スライド部材５６が僅かに図中左方向に移動すると、係合傾斜面５６ｆがフック部６３ｆと確実に係合してスライド部材５６の移動を阻止する。尚、スライド部材５６が左方向に移動すると、シャッタ１３も開く方向に移動するが、係合傾斜面５６ｆがフック部６３ｆと係合するまでの移動距離は、内部開口１８,１９周辺におけるカートリッジ本体１１とシャッタ１３とのオーバーラップ量に比較して遥かに少なく、内部開口１８,１９が開放されることはない。
【００６３】
第２のロック部材６４は、同図（Ａ）に示すように、ロックバネ６５に付勢されて垂直状態となり、被押圧片６４ｄを位置決め溝７内の切欠６７から突出させる第２のロック位置と、同図（Ｂ）に示すように、図中に時計方向に回動する第２の解除位置との間で移動される。
【００６４】
第１シェル２５の内面には、第１のロック部材６３の摺動部６３ｂが上下方向で摺動自在に挿入される矩形の摺動枠６９と、第２のロック部材６４の回動部６４ｃの一方の側面と底面とを受け止めて図中反時計方向への回動と下方へのスライドとを阻止する規制片７０と、ロックバネ６５の他端が係止されるボス７１とが形成されている。摺動枠６９には、第１のロック部材６３の操作穴６３ｄを第１シェル２５の外面から外部に露呈させる開口７２が形成されている。また、第２シェル２６にも同様に操作穴６３ｄを外部に露呈させる開口７３が、開口７２に対面する位置に形成されている。
【００６５】
図４（Ａ）は、不使用時のカートリッジ２のロック機構２７の状態を示している。第２のロック部材６４は、ロックバネ６５により上方に付勢されているため、第１のロック部材６３のロック爪６３ａは、スライド部材５６の被ロック溝５６ｅ中に入り込んでいる。これにより、シャッタ１３を閉じ位置から開き位置にスライドさせようとすると、被ロック溝５６ｅの係合傾斜面５６ｆとロック爪６３ａのフック部６３ｆとが係合してシャッタ１３がスライドすることはない。係合傾斜面５６ｆとフック部６３ｆとの傾斜方向は、スライド部材５６がシャッタ１３を開く方向に移動すると更に食い込む形状となっているので、スライド部材５６の移動は確実に阻止される。
【００６６】
また、第１シェル２５及び第２シェル２６に設けられた開口７２,７３から、第１のロック部材６３の操作穴６３ｄに棒などを挿入してスライドさせようとしても、第２のロック部材６４の底面が規制片７０に当接するため、やはりロックは解除されない。
【００６７】
尚、第１シェルと第２シェルとの固着に超音波溶着を用いたが、その他の溶着方法及び固着方法を用いてもよい。例えば、ネジなどで固着する場合には、ネジ穴の周囲にも遮光構造を形成するのが好ましい。また、第２シェル及び第１シェルを１部品で構成したが、複数の部品を組みあわせて形成してもよい。例えば、シャッタ収納部を境にして２部品で構成すれば、金型の簡易化を図ることができる。
【００６８】
更に、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。また、ロック機構は、二重ロック機構について説明したが二重のものに限定されない。
【図面の簡単な説明】
【００６９】
【図１】本発明の実施形態である記録再生システムの構成を示す斜視図である。
【図２】記録再生装置の概略構成図である。
【図３】ロック機構の構成を示す分解斜視図である。
【図４】図１２に示すロック機構の動作説明図である。
【図５】記録再生装置のシャッタを開く手順を説明するフローチャート図である。
【図６】改良版としての挿入口シャッタを示す縦断面図（ａ）と斜視図（ｂ）である。
【図７】カートリッジの外観形状を示す外観斜視図である。
【図８】カートリッジの反対側の面を示す外観斜視図である。
【図９】カートリッジのシャッタ開放状態を示す外観斜視図である。
【図１０】カートリッジの構成を示す分解斜視図である。
【図１１】図１０におけるＶＩ−ＶＩ矢視断面図である。
【図１２】図１０におけるＶＩＩ−ＶＩＩ矢視断面図である。
【図１３】カートリッジの装填方向の断面図であり、（Ａ）は全体図、（Ｂ）は（Ａ）の前端縁部分の拡大図、（Ｃ）は（Ａ）の後端縁部分の拡大図である。
【図１４】カートリッジの装填方向に直交する方向の断面図であり、（Ａ）はシャッタが閉じた状態の断面図、（Ｂ）はシャッタが開いた状態の断面図である。
【図１５】図１４における円Ｘで囲まれた部分の拡大図である。
【図１６】図１４における円ＸＩで囲まれた部分の拡大図である。
【符号の説明】
【００７０】
２  カートリッジ（感光性記録媒体用カートリッジ）
４  記録ディスク（感光性記録媒体、ホログラム記録媒体）
４ａ  感光性記録媒体の中心
４ｂ  感光性記録媒体の記録面
１０  記録再生装置
１１  カートリッジ本体
１３  シャッタ
１８  内部開口（開口）
１９  内部開口（開口）
２７  ロック機構
６３  第１のロック部材
６４  第２のロック部材
７７ａ  位置決め部材（第２の解除部材）
７７ｂ  位置決め部材（第２の解除部材）
７８  ロック解除機構
７９ａ  係合ピン（第１の解除部材）
７９ｂ  係合ピン（第１の解除部材）
８０  シャッタ開放機構
９０  筐体
９１  挿入口
９３  ピン口
９４  挿入口シャッタ
９６  コイルばね
９８  照度センサ
１００  記録再生システム
９４０  挿入口シャッタ
９４０ａ  吊下げ部
９４０ｂ  第１延設部
９４０ｃ  シャッタ平板部
９４０ｄ  第２延設部
９０ａ−９０ｂ、９０ｃ−９０ｄ  筐体の凹状収納部
【図１】
0004557856.tif 000002
【図２】
0004557856.tif 000003
【図３】
0004557856.tif 000004
【図４】
0004557856.tif 000005
【図５】
0004557856.tif 000006
【図６】
0004557856.tif 000007
【図７】
0004557856.tif 000008
【図８】
0004557856.tif 000009
【図９】
0004557856.tif 000010
【図１０】
0004557856.tif 000011
【図１１】
0004557856.tif 000012
【図１２】
0004557856.tif 000013
【図１３】
0004557856.tif 000014
【図１４】
0004557856.tif 000015
【図１５】
0004557856.tif 000016
【図１６】
0004557856.tif 000017